(57)【要約】【課題】通常状態と割り込み状態とのそれぞれに対応したグラデーション制御を設定すると、ＣＰＵの負荷が大きくなっていた。【解決手段】第１の制御モードにおいては発光素子駆動回路の有する自動グラデーション機能に基づいてＬＥＤのグラデーションを制御でき、第２の制御モードにおいては外部制御装置からの制御信号に基づいてＬＥＤのグラデーションを制御できるようにＬＥＤドライバを構成する。【選択図】図１
2011172813.tif 000002
【特許請求の範囲】
【請求項１】
外部制御装置から制御信号を受信して輝度設定値を出力する受信回路と、
第１のカウント値を出力するするカウンタと、
前記第１のカウント値と前記輝度設定値とを比較して、前記輝度設定値に基づくパルス幅の第１のＰＷＭ信号を出力する第１の比較回路と、
第２のカウント値を出力するアップダウンカウンタと、
前記第１のカウント値と前記第２のカウント値とを比較して、パルス幅が徐々に変化する第２のＰＷＭ信号を出力する第２の比較回路と、
前記第１のＰＷＭ信号と前記第２のＰＷＭ信号とが入力されて第３のＰＷＭ信号を出力するアンドゲートと、
前記第１のＰＷＭ信号又は前記第３のＰＷＭ信号が入力されて発光素子を駆動するドライバ回路と、を含んで構成され、
前記ドライバは、
前記輝度設定値が一定値となる第１の制御モードにおいては、前記第３のＰＷＭ信号が入力され、
前記輝度設定値が変化する第２の制御モードにおいては、前記第１のＰＷＭ信号が入力されること、を特徴とする発光素子駆動回路。
【請求項２】
請求項１に記載の発光素子駆動回路において、
前記受信回路は、傾き設定値を出力し、
前記アップダウンカウンタは、前記傾き設定値に応じた周波数のクロックをカウントして前記第２のカウント値を出力すること、を特徴とする発光素子駆動回路。
【請求項３】
請求項２に記載の発光素子駆動回路において、
前記クロックは、クロック生成回路から出力され、
前記クロック生成回路は、発振器と、分周回路と、セレクト回路と、を含んで構成され、
前記傾き設定値は、前記セレクト回路の出力を選択するために用いられること、を特徴とする発光素子駆動回路。
【請求項４】
請求項１〜３のいずれかに記載の発光素子駆動回路と、
前記発光素子と、を有する遊技機であって、
前記第２の制御モードは、前記遊技機が特殊動作状態になったときに生じること、を特徴とする遊技機。
【発明の詳細な説明】
【技術分野】
【０００１】
本発明は、発光素子駆動回路及び遊技機に係り、特に、遊技機の遊技状態に応じた異なるグラデーション制御を可能とする発光素子駆動回路及びそれを搭載した遊技機に関する。
【背景技術】
【０００２】
遊技機（例えば、パチンコやスロットマシン等）は、遊技者の娯楽満足度を向上させるべく、様々な演出機能を搭載している。特に、近年では、遊技者の視覚に訴える演出機能が充実してきた。その代表的な演出機能として、ＬＥＤ（Ｌｉｇｈｔ  Ｅｍｉｓｓｉｏｎ  Ｄｉｏｄｅ）などの発光素子を用いた光の演出機能がある。
【０００３】
この光の演出機能は年々充実しており、近年では、単に発光素子のオン／オフを繰り返すような電飾パターンだけではなく、発光素子の輝度を階調制御したグラデーション電飾パターンが一般的になってきた。
【０００４】
このような光の演出機能を備えた遊技機として、例えば、特許文献１では、複数のＬＥＤが配置されたセグメントに印加するパルス状の発光電源電圧の出力時間と無出力時間との比率を徐々に変化させることにより、各セグメントの輝度を徐々に変化させる遊技機が開示されている。この遊技機では、ＰＷＭ（Ｐｕｌｓｅ  Ｗｉｄｔｈ  Ｍｏｄｕｌａｔｉｏｎ  Ｃｏｎｔｒｏｌ）制御によって、ＬＥＤの輝度が階調制御されている。つまり、ＬＥＤに供給される電流パルスのデューティー比に応じてＬＥＤの発光輝度が調整される。
【先行技術文献】
【特許文献】
【０００５】
【特許文献１】特開２００１−２５２４１６号公報
【発明の概要】
【発明が解決しようとする課題】
【０００６】
従来、ＰＷＭ制御では、シリアル設定にてパルスのデューティー比を制御することにより、ＬＥＤの輝度が階調制御されていた。しかしながら、これによると、ＣＰＵ（Ｃｅｎｔｒａｌ  Ｐｒｏｃｅｓｓｉｎｇ  Ｕｎｉｔ）の負荷が大きくなる傾向にあった。
【０００７】
特に、近年、遊技機には、平常状態や割込状態等、様々な遊技状態が設けられている。そして、この遊技状態に応じて、ＬＥＤのグラデーションパターンを変化させて、遊技者に遊技状態の変化を視覚的に訴える演出が一般的になってきた。このような演出によって、ＣＰＵの負荷は益々大きくなっていた。
【０００８】
図５の下段は、このような演出を実現する従来技術に係る発光素子駆動回路の一例を示す。ＣＰＵ３１は、通常状態におけるＬＥＤのグラデーションパターンに対応する第１のシリアルデータを出力するとともに、割込状態におけるＬＥＤのグラデーションパターンに対応する第２のシリアルデータを出力する。ＬＥＤドライバ３２は、自動グラデーション機能を有しておらず、第１のシリアルデータ又は第２のシリアルデータによるシリアル設定によってＬＥＤ３３をグラデーション制御する。ＬＥＤドライバ３２は、遊技機の遊技状態に応じて、第１のシリアルデータ又は第２のシリアルデータのいずれかをシリアルＩ／Ｆ３４に受信する。ＰＷＭ回路３５は、第１のシリアルデータ又は第２のシリアルデータに基づいて、所望のグラデーションパターンに応じて変化する輝度設定信号を出力する。ＰＷＭ回路３５は、輝度設定信号に基づくパルス幅のＰＷＭ信号を出力する。そして、ドライバ３８は、ＰＷＭ信号に基づいてＬＥＤ３３を駆動する。
【０００９】
このような構成において、図５の上段に示すＬＥＤ動作イメージのように、割り込み発生前の通常状態では、ＬＥＤ３３は、第１のシリアルデータに基づいて所定のグラデーションを繰り返す。そして、例えば遊技機に大役が発生すると、ＬＥＤ３３は、第２のシリアルデータに基づいて別のグラデーション制御によって動作する。遊技機の大役等が終了して通常状態に戻ると、割込状態の前の通常状態のグラデーションが繰り返される。
【００１０】
ここで、遊技機では、大役等が終了して通常状態に戻ったとき、通常状態のグラデーションパターンは、割り込み発生前から連続することが望まれることが多い。つまり、図５の上段において、ＬＥＤ３３は、割り込み発生前のグラデーションパターンから、割り込み発生のよって、他のグラデーションパターンに移行する。このとき、割り込み発生から割り込み終了までの期間において、仮に割り込みが発生する前のグラデーションパターンが継続していた場合のＬＥＤ動作イメージを点線で示している。そして、割り込み終了直後の通常状態におけるＬＥＤ動作イメージは、この点線のイメージに続くようになることが望まれる。
【００１１】
このため、遊技機においては、通常状態と割込状態とは同時に生じないことが一般的であるが、割込状態においても通常状態におけるグラデーション制御設定は継続して行われ、割込状態が終了すると割り込み前のグラデーション制御設定に切り替えられる。
【００１２】
しかしながら、このような制御方式の場合、ＣＰＵの負荷が過大となるという問題が発生していた。
【００１３】
本発明の目的は、ＣＰＵの負荷を低減しつつも、割り込み終了時に割り込み前のグラデーションのフェード状態を再現できる発光素子駆動回路及びそれを有した遊技機を提供することにある。
【課題を解決するための手段】
【００１４】
本発明に係る発光素子駆動回路は、外部制御装置から制御信号を受信して輝度設定値を出力する受信回路と、第１のカウント値を出力するするカウンタと、前記第１のカウント値と前記輝度設定値とを比較して、前記輝度設定値に基づくパルス幅の第１のＰＷＭ信号を出力する第１の比較回路と、第２のカウント値を出力するアップダウンカウンタと、前記第１のカウント値と前記第２のカウント値とを比較して、パルス幅が徐々に変化する第２のＰＷＭ信号を出力する第２の比較回路と、前記第１のＰＷＭ信号と前記第２のＰＷＭ信号とが入力されて第３のＰＷＭ信号を出力するアンドゲートと、前記第１のＰＷＭ信号又は前記第３のＰＷＭ信号が入力されて発光素子を駆動するドライバ回路と、を含んで構成され、前記ドライバは、前記輝度設定値が一定値となる第１の制御モードにおいては、前記第３のＰＷＭ信号が入力され、前記輝度設定値が変化する第２の制御モードにおいては、前記第１のＰＷＭ信号が入力されること、を特徴とする。
【００１５】
また、好ましくは、本発明に係る発光素子駆動回路は、前記受信回路は、傾き設定値を出力し、前記アップダウンカウンタは、前記傾き設定値に応じた周波数のクロックをカウントして前記第２のカウント値を出力すること、を特徴とする。
【００１６】
また、好ましくは、本発明に係る発光素子駆動回路は、前記クロックは、クロック生成回路から出力され、前記クロック生成回路は、発振器と、分周回路と、セレクト回路と、を含んで構成され、前記傾き設定値は、前記セレクト回路の出力を選択するために用いられること、を特徴とする。
【００１７】
また、本発明に係る遊技機は、前記発光素子駆動回路と、前記発光素子と、を有する遊技機であって、前記第２の制御モードは、前記遊技機が特殊動作状態になったときに生じること、を特徴とする。
【発明の効果】
【００１８】
上記構成の発光素子駆動回路及び遊技機によれば、第１の制御モードにおいては発光素子駆動回路の有する自動グラデーション機能に基づいてＬＥＤのグラデーションを制御でき、第２の制御モードにおいては外部制御装置からの制御信号に基づいてＬＥＤのグラデーションを制御できる。このように、第１の制御モードにおいてはＬＥＤの自動グラデーション機能を活用できるので、ＣＰＵの負担が軽減する。
【００１９】
さらに、上記構成の発光素子駆動回路及び遊技機によれば、第１の制御モードによるＬＥＤの動作イメージを遮断することなく、第２の制御モードによるＬＥＤの動作イメージを割り込ませることができる。
【図面の簡単な説明】
【００２０】
【図１】本発明に係る実施の形態において、上段はＬＥＤ動作イメージを示し、下段はＬＥＤドライバを示す図である。
【図２】本発明に係る実施の形態において、ＬＥＤドライバの詳細を示す図である。
【図３】本発明に係る実施の形態において、ＬＥＤドライバの信号処理を示す図である。
【図４】本発明に係る実施の形態において、上段はＬＥＤ動作イメージを比較するための他のＬＥＤドライバのＬＥＤ動作イメージを示し、下段はこの比較のための参考ＬＥＤドライバを示す。
【図５】従来技術において、上段はＬＥＤ動作イメージを示し、下段はＬＥＤドライバを示す。
【発明を実施するための形態】
【００２１】
以下に、本発明に係る実施の形態について添付図面を参照しながら詳細に説明する。また、以下では、全ての図面において同様の要素には同一の符号を付し、重複する説明を省略する。そして、本文中の説明においては、必要に応じそれ以前に述べた符号を用いるものとする。
【００２２】
図１において、上段は本実施形態に係るＬＥＤドライバ２によるＬＥＤ３の動作イメージを示し、下段はＬＥＤドライバ１０及びその周辺を示す。以下では、ＬＥＤドライバ２は、遊技機に搭載されるものとして説明する。
【００２３】
ＣＰＵ１は、遊技機の遊技状態に応じた第１のシリアルデータ及び第２のシリアルデータを出力する。詳細は後述するが、第１のシリアルデータは、ＬＥＤドライバ２の自動グラデーション機能に基づいてＬＥＤ３をグラデーション制御するためのデータであり、第２のシリアルデータは、ＬＥＤの自動グラデーション機能を使用せず、このデータ自体にＬＥＤ３をグラデーション制御するためのデータを含ませてＬＥＤ３をグラデーション制御するためのデータである。なお、以下では、ＬＥＤ３が第１のシリアルデータに基づいて制御される状態を通常状態とし、ＬＥＤ３が第２のシリアルデータに基づいて制御される状態を割り込み状態とする。
【００２４】
ＬＥＤドライバ２は、シリアルＩ／Ｆ４と、ＰＷＭ回路５と、自動グラデーション用ＰＷＭ回路６と、アンド回路７と、スイッチＳＷと、ドライバ８とを含んで構成される。
【００２５】
シリアルＩ／Ｆ４は、ＣＰＵ１から第１のシリアルデータ及び第２のシリアルデータを受信する。シリアルＩ／Ｆ４は、第１のシリアルデータに対しては、一定値の輝度設定値をＰＷＭ回路５に出力するとともに、所定の傾き設定値及びＯＮ／ＯＦＦデータを自動グラデーション用ＰＷＭに出力する。また、シリアルＩ／Ｆ４は、第２のシリアルデータに対しては、所望のグラデーションパターンに応じて変化する輝度設定値をＰＷＭ回路５に出力する。
【００２６】
ＰＷＭ回路５は、輝度設定値に応じたパルス幅の第１のＰＷＭ信号を出力する。通常状態においては、ＰＷＭ回路５は、一定値の輝度設定値に基づいて、パルス幅が一定の第１のＰＷＭ信号を出力する。また、割り込み状態においては、ＰＷＭ回路５は、輝度設定値の変化に応じてパルス幅が変化する第１のＰＷＭ信号を出力する。
【００２７】
自動グラデーション用ＰＷＭ回路６は、傾き設定値及びＯＮ／ＯＦＦデータに基づいて、パルス幅が変化する第２のＰＷＭ信号を出力する。傾き設定値は、第２のＰＷＭ信号のパルス幅の変化する程度を決定するものであり、ＯＮ／ＯＦＦデータは、第２のＰＷＭ信号のパルス幅を大小いずれに変化させるのかを決定するものである。
【００２８】
アンド回路７は、ＰＷＭ回路５から出力される第１のＰＷＭ信号と、自動グラデーション用ＰＷＭ回路６から出力される第２のＰＷＭ信号とのアンドをとって第３のＰＷＭ信号を出力する。前記の通り、第１のＰＷＭ信号及び第２のＰＷＭ信号のパルス幅は変化するのであるから、第３のＰＷＭ信号のパルス幅も変化する。
【００２９】
スイッチＳＷは、遊技機の遊技状態に応じて切り替えられる。具体的には、通常状態では、スイッチＳＷは、ドライバ８の入力段をアンド回路７の出力段と接続させる。また、割り込み状態では、スイッチＳＷは、ドライバ８の入力段をＰＷＭ回路５の出力段と接続させる。
【００３０】
ドライバ８は、スイッチＳＷの切換え状況に応じて、第１のＰＷＭ信号又は第３のＰＷＭ信号を入力してＬＥＤ駆動電流を出力し、ＬＥＤ３を駆動する。つまり、通常状態では、ドライバ８は、第３のＰＷＭ信号に基づいてＬＥＤ駆動電流を出力し、ＬＥＤ３を駆動する。また、割り込み状態では、ドライバ８は、第１のＰＷＭ信号に基づいてＬＥＤ駆動電流を出力し、ＬＥＤ３を駆動する。
【００３１】
上記構成のＬＥＤドライバ２の作用について図１の上段を用いて説明する。まず、割り込み発生前の期間について説明すると、割り込み発生前の通常状態では、ＬＥＤドライバ２は、ＣＰＵ１から入力される第１のシリアルデータに基づいて、ＬＥＤ３を実線のＬＥＤ動作イメージのように駆動する。このとき、ＬＥＤドライバ２は、自己の有する自動グラデーション機能に基づいてＬＥＤ３を駆動するため、ＣＰＵ１の負荷が抑制される。
【００３２】
次に、割り込み発生後から割り込み終了までの期間について説明すると、この期間において、図中の点線は第１のシリアルデータに基づいてＬＥＤ３を駆動したと仮定した場合のＬＥＤ動作イメージを示し、実線は第２のシリアルデータに基づいてＬＥＤ３を駆動することによるＬＥＤ動作イメージを示す。前記の通り、ＬＥＤドライバ２は、通常状態と割り込み状態とは、ＬＥＤ３を駆動する構成が異なる。このため、図に示すＬＥＤ動作イメージのとおり、ＬＥＤ３は、割り込み発生後においては、通常状態とは異なるＬＥＤ動作イメージのように駆動される。
【００３３】
そして、割り込み終了後の期間について説明すると、割り込み終了後の通常状態では、ＬＥＤドライバ２は、割り込み発生前と同様に、ＣＰＵ１から入力される第１のシリアルデータに基づいて、ＬＥＤドライバ２の自動グラデーション機能によってＬＥＤ３を実線のＬＥＤ動作イメージのように駆動する。ここで、割り込み終了直後のＬＥＤ動作イメージの開始点は、割り込み状態におけるＬＥＤ動作イメージからＬＥＤ動作イメージが連続性を有するようには決まらず、割り込み前のＬＥＤ動作イメージの状態が継続されるようにして決まる。
【００３４】
図２は、ＬＥＤドライバ２の詳細を示す図である。つまり、図１におけるＰＷＭ回路５及び自動グラデーション用ＰＷＭ回路６の詳細を示す。また、図３は、比較回路１０及び比較回路１２の信号処理を示す図である。なお、図２においては、図１に示されたスイッチＳＷなどの詳細を省略する。以下、図２及び図３を参照して、ＬＥＤドライバ２の詳細を説明する。
【００３５】
発振器１３は、所定の周波数のクロックをＰＷＭ回路５及び分周回路１４に出力する。分周回路１４は、発振器１３から入力されたクロックを分周して周波数を変換した複数のクロックを自動グラデーション用ＰＷＭ回路６に出力する。
【００３６】
ＰＷＭ回路５は、ＰＷＭ作成用カウンタ９と比較回路１０とを含んで構成される。ＰＷＭ作成用カウンタ９は、発振器１３から入力されたクロックをカウントして第１のカウント値を比較回路１０及び比較回路１２に出力する。比較回路１０は、シリアルＩ／Ｆ４から入力される輝度設定値と、第１のカウント値とを比較して第１のＰＷＭ信号を出力する。
【００３７】
ここで、図３（ａ）、（ｂ）を参照して、比較回路１０の信号処理について具体的に説明する。図３（ａ）において、実線で示された鋸形状の波形は、ＰＷＭ作成用カウンタ９から入力された第１のカウント値を示す。また、点線がシリアルＩ／Ｆ４から入力された輝度設定値を示す。比較回路１０は、第１のカウント値と輝度設定値を比較する。そして、図３（ｂ）に示すように、輝度設定値が第１のカウント値よりも大きい期間においてハイレベルとなるような第１のＰＷＭ信号を出力する。つまり、輝度設定値によって、第１のＰＷＭ信号のパルス幅が制御される。ここで、通常状態においては、輝度設定値は一定値となるため、第１のＰＷＭ信号はパルス幅が一定となる。一方、割り込み状態においては、輝度設定値が逐次変化する。このため、第１のＰＷＭ信号は、逐次パルス幅が変化することになる。
【００３８】
図２にもどり、自動グラデーション用ＰＷＭ回路６について説明すると、自動グラデーション用ＰＷＭ回路６は、ＵＰ／ＤＯＷＮカウンタ１１と比較回路１２とを含んで構成される。分周回路１４から出力されたクロックは、シリアルＩ／Ｆ４から入力された傾き設定値に基づいて所望の周波数のクロックが選択され、ＵＰ／ＤＯＷＮカウンタ１１に入力される。ＵＰ／ＤＯＷＮカウンタ１１は、このクロックを、シリアルＩ／Ｆ４から入力されたＯＮ／ＯＦＦ信号に基づいてカウントアップ又はカウントダウンして第２のカウント値を比較回路１２に出力する。比較回路１２は、ＰＷＭ作成用カウンタ９から入力される第１のＰＷＭ信号と、ＵＰ／ＤＯＷＮカウンタ１１から入力される第２のカウント値とを比較して第２のＰＷＭ信号をアンド回路７に出力する。
【００３９】
ここで、図３（ｃ）〜（ｆ）を参照して、比較回路１２の信号処理について具体的に説明する。はじめに、図３（ｃ）、（ｄ）を参照して、ＵＰ／ＤＯＷＮ信号によって、ＵＰ／ＤＯＷＮカウンタ１１がカウントアップを指示されたときの信号処理について説明する。図３（ｃ）において、実線で示された鋸形状の波形は、ＰＷＭ作成用カウンタ９から入力された第１のカウント値を示す。また、点線がＵＰ／ＤＯＷＮカウンタ１１から入力された第２のカウント値を示す。比較回路１０は、第１のカウント値と第２のカウントを比較する。そして、図３（ｄ）に示すように、第２のカウント値が第１のカウント値よりも大きい期間においてハイレベルとなるような第２のＰＷＭ信号を出力する。つまり、この第２のカウント値は、傾き設定値に応じてその傾きが変化する。このため、第２のＰＷＭ信号は、傾き設定値に応じて逐次パルス幅が大きくなる。同様に、図３（ｅ）、（ｆ）に示されるように、ＵＰ／ＤＯＷＮ信号によって、ＵＰ／ＤＯＷＮカウンタ１１がカウントダウンを指示されると、第２のＰＷＭ信号は、傾き設定値に応じて逐次パルス幅が小さくなる。つまり、自動グラデーション用ＰＷＭ信号は、ＣＰＵ１の負荷を抑制しつつ、パルス幅が変化する第２のＰＷＭ信号を出力する。
【００４０】
図２にもどり、アンド回路７について説明すると、アンド回路７は、比較回路１０から入力される第１のＰＷＭ信号と、比較回路１２から入力される第２のＰＷＭ信号とのアンドをとって第３のＰＷＭ信号をドライバ回路８に出力する。この場合、第２のＰＷＭ信号はパルス幅が逐次変化するものであるから、第３のＰＷＭ信号もこれに準ずることになる。
【００４１】
そして、ドライバ８は、第３のＰＷＭ信号に基づいて、グラデーション電飾となるようにＬＥＤ８を駆動する。なお、図１を参照して説明したとおり、割り込み状態においては、ドライバ８は、アンド回路７の出力段ではなく比較回路１０の出力段と接続され、第１のＰＷＭ信号に基づいてＬＥＤ３を駆動する。
【００４２】
このように、本実施形態に係るＬＥＤドライバ２は、通常状態ではＬＥＤドライバ２の自動グラデーション機能を活用してＬＥＤ３を駆動しているため、ＣＰＵ１の負荷を抑制することができる。
【００４３】
また、ＬＥＤドライバ２は、割り込み状態では、第１のＰＷＭ信号に基づいてＬＥＤ３を駆動する。このように、ＬＥＤドライバ２は、グラデーション機能として、ＬＥＤドライバ２の自動グラデーション機能を活用する系統と、ＣＰＵ１によるＰＷＭ制御を活用する系統との２系統有しているため、割り込み状態の終了後は、割り込み状態前のＬＥＤ動作イメージを継続することができる。
【００４４】
後者における技術的効果について、図４を参照して説明する。図４の下段は、ＬＥＤドライバ２２の自動グラデーション機能のみによってＬＥＤ２３を駆動するものである。つまり、ＣＰＵ２１は、通常状態に相当するパラレルデータと割り込み状態におけるパラレルデータをＬＥＤドライバ２２に出力する。そして、ＬＥＤドライバ２２は、通常状態、割り込み状態のいずれにおいても、シリアルＩ／Ｆ２４から出力される輝度設定値、傾き設定値及びＯＮ／ＯＦＦ信号に基づいて、ＬＥＤドライバの自動グラデーション機能に基づいて、ＬＥＤ２３を駆動する。
【００４５】
この構成によるＬＥＤの動作イメージを図４の上段に示す。この構成によると、割り込み終了直後の通常状態におけるＬＥＤの動作イメージは、割り込み状態におけるＬＥＤ動作イメージと連続するようになり、割り込み状態前のＬＥＤ動作イメージを継続することができなくなる。
【００４６】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００４７】
例えば、上記実施例に係るＬＥＤドライバ２は、通常状態では第１のＰＷＭ信号に基づいてＬＥＤ３を駆動し、割り込み状態では第２のＰＷＭ信号に基づいてＬＥＤ３を駆動していた。しかし、本発明はこれに限定されず、例えば、ＬＥＤドライバ２は、割り込み状態では第１のＰＷＭ信号に基づいてＬＥＤ２３を駆動し、通常状態では第２のＰＷＭ信号に基づいてＬＥＤ３を駆動するように構成されてもよい。
【符号の説明】
【００４８】
１  ＣＰＵ、２  ＬＥＤドライバ、３  ＬＥＤ、４  シリアルＩ／Ｆ、５  ＰＷＭ回路、６  自動グラデーション用ＰＷＭ回路、７  アンド回路、８  ドライバ、９  ＰＷＭ作成用カウンタ、１０  比較回路、１１  ＵＰ／ＤＯＷＮカウンタ、１２  比較回路、
１３  発振器、１４  分周期、ＳＷ  スイッチ、２１  ＣＰＵ、２２  ＬＥＤドライバ、２３  ＬＥＤ、２４  シリアルＩ／Ｆ、２５  ＰＷＭ回路、２６  自動グラデーション用ＰＷＭ回路、２７  アンド回路、２８  ドライバ、３１  ＣＰＵ、３２  ＬＥＤドライバ、３３  ＬＥＤ、３４  シリアルＩ／Ｆ、３５  ＰＷＭ回路、３８  ドライバ。
【図１】
2011172813.tif 000003
【図２】
2011172813.tif 000004
【図３】
2011172813.tif 000005
【図４】
2011172813.tif 000006
【図５】
2011172813.tif 000007